(57)【要約】【課題】高さが異なる段差に対して構成部材の共通化を可能にして、部材管理の容易化及び製品価格の低廉化をもたらす段差解消装置を提供する。【解決手段】スロープ材Ａと台座Ｂとからなる。スロープ材は、高さの異なる二つの面の間の段差を跨ぐように掛け渡して静置され、二つの面を連続させる傾斜面を有する。台座は二つの面のうち低い面のスロープ材の下端部と段差との間に静置されて、スロープ材の下面を支持する。【選択図】      図１
2004218314.tif 000002
【特許請求の範囲】
【請求項１】
スロープ材と台座とからなり、
前記スロープ材は、高さの異なる二つの面の間の段差を跨ぐように掛け渡して静置され、前記二つの面を連続させる傾斜面を有するものであり、
前記台座は前記二つの面のうち低い面の前記スロープ材の下端部と前記段差との間に静置されて、前記スロープ材の下面を支持するものである、
ことを特徴とする段差解消装置。
【請求項２】
スロープ材は、その下面にスロープ材の長さ方向に隔てた位置に複数の溝が形成され、台座は前記スロープ材の下面に対向する傾斜面を有して、その傾斜面に前記スロープ材の少なくとも一つの溝に嵌合する凸条が突設されていることを特徴とする請求項１に記載された段差解消装置。
【請求項３】
スロープ材は、ゴムチップ材をバインダで接合してなる高摩擦係数を有する弾性材料で成形され、下半部が段部を挟んで高さの異なる二つの面のうち低い面に当接される底面と下半傾斜面を有するほぼ三角柱状に形成され、上半部が前記下半傾斜面に連続する上半傾斜面を有する板状に形成されていることを特徴とする請求項１又は２に記載された段差解消装置。
【発明の詳細な説明】
【０００１】
【発明の属する技術分野】
本発明は、高さの異なる二つの面の間に段差が存在する場合に、その段差を解消するために使用する段差解消装置に関する。
【０００２】
【従来の技術】
従来、例えば引っ越し時に手押し車を道路と玄関又はロビーの間を移動可能にするため、途中に存在する段差を解消するためには、高さの異なる複数の台木を間隔をもって配置し、その上に合板などを釘うちしてスロープ台を構成して、段差を被覆していた。
また、道路と駐車場の間にＬ字溝等の段差がある場合は、排水用切欠を有する金属脚の上面に鉄板を溶接してなるスロープ板を段差に跨がらせていた。
【０００３】
【発明が解決しようとする課題】
このように、従来のスロープ台は設置現場ごとに構成部材の寸法が異なり、また、一旦製作されると、その傾斜角度は一定不変のものである。また、従来のスロープ板も金属部材を溶接して作られているので、傾斜角度は一定不変である。従って、従来は、高さが異なる段差に対して構成部材の共通化が不可能であるので、部材管理が煩雑であり、製品価格が高くならざるを得ないという問題があった。
【０００４】
本発明は、上記の点に鑑みてなされたものであり、その課題は、高さが異なる段差に対して構成部材の共通化を可能にして、部材管理の容易化及び製品価格の低廉化をもたらす段差解消装置を提供することにある。
【０００５】
【課題を解決するための手段】
上記課題を解決するため、本発明による段差解消装置は、スロープ材と台座とからなり、スロープ材は、高さの異なる二つの面の間の段差を跨ぐように掛け渡して静置され、前記二つの面を連続させる傾斜面を有するものであり、台座は前記二つの面のうち低い面のスロープ材の下端部と段差との間に静置されて、スロープ材の下面を支持するものであることを特徴としている。
上記構成により、スロープ材を段差を跨ぐように掛け渡して静置して、スロープ材の傾斜面により二つの面を連続させ、そのスロープ材の下端部と段差との間に台座を静置してスロープ材の下面を支持させると、そのスロープ材の上を人又は車椅子などが渡ることができる。スロープ材と台座の独立二部材構成としたので、構成部材を変えずに高さの異なる段差に対応することができる。
【０００６】
スロープ材は、その下面にスロープ材の長さ方向に隔てた位置に複数の溝が形成され、台座は前記スロープ材の下面に対向する傾斜面を有して、その傾斜面に前記スロープ材の少なくとも一つの溝に嵌合する凸条が突設されていることが望ましい。
上記構成により、段差を跨ぐように掛け渡したスロープ材の傾斜角度に応じて台座のスロープ材を支持する位置を調整して、凸条を溝に嵌合することにより、台座によるフロープ材の支持面が最大になった状態でスロープ材が支持され、相互の位置関係が固定される。
【０００７】
スロープ材は、ゴムチップ材をバインダで接合してなる高摩擦係数を有する弾性材料で成形され、下半部が段部を挟んで高さの異なる二つの面のうち低い面に当接される底面と下半傾斜面を有するほぼ三角柱状に形成され、上半部が前記下半傾斜面に連続する上半傾斜面を有する板状に形成されていることが望ましい。
上記構成により、スロープ材の下半部が大きな支持強度を備え、また、スロープ材の上半部が適度な撓みを有するので、段差の高さの変化に対する適応性が増大し、しかも、安定性が得られる。また、摩擦係数が大きいので、傾斜面の滑り止め効果が大きい。
【０００８】
【発明の実施の形態】
次に、本発明の実施の形態を図面に基づいて説明する。
図１は本発明による段差解消装置の構成要素を示す斜視図、図２は同じく側面図、図３は窓サッシ又はテラスサッシの下枠により構成されている段差を解消する場合の、本発明による段差解消装置の使用状態の一例を示す断面図、図４は玄関土間と通路の間の段差を解消する場合の、本発明による段差解消装置の使用状態の一例を示す斜視図である。
【０００９】
図１において、Ａは段差解消装置の構成要素の一つであるスロープ材であり、木製もしくは金属製の板材、又は図示の例のように、古タイヤを破砕したゴムチップ材にバインダを混練して板状に圧縮成形したもの（ゴムチップ成形材）を用いることができる。木製又は金属製の場合は、上面に滑り防止加工が施されることが望ましい。ゴムチップ成形材の場合は、ゴムチップの密度と成形圧力の設定により、上面に所望の摩擦係数を有して適度な滑り止め効果が容易に得られ、適度な弾性が得られるので、スロープ材の上を歩行しやすく、車椅子や自転車などの車輪の転動も容易にできるメリットを有する。
【００１０】
そして、スロープ材Ａは、高さの異なる二つの面の間に存在する段部を跨いで掛け渡され、その二つの面を連続させる傾斜面１を上面に有する。好ましくは、スロープ材Ａの下面に、スロープ材の長手方向に間隔を持って複数本の溝２が形成されている。さらに、スロープ材Ａの長手方向一端部は、前記二つの面のうち低い面に段差なく連続するように先端が向かって漸次薄くされている。また、長手方向他端部は、前記二つの面のうち高い面に滑らかに連続するように湾曲され、又は水平部分１ａに続いて下り傾斜面１ｂを有している。
【００１１】
図１においてＢは、台座であり、スロープ材Ａの幅とほぼ等しい幅を有し、平面に静置される底面３とその底面の先端から後端に向けて上り傾斜する傾斜面４を有する。そして、傾斜面４には、その中間位置に水平線に沿って延びる凸条５が設けられている。この凸条５はスロープ材１の底面の溝２に嵌合することができる。
【００１２】
溝２とこれに嵌合される凸条５の代わりに、スロープ材Ａの下面に複数本の線に沿って所定間隔を持って形成された孔に、台座Ｂの傾斜面４の水平線に沿って所定間隔を持って設けられた突起を、前記孔に嵌合するようにしても良い。
【００１３】
上記スロープ材Ａと台座Ｂとからなる本発明による段差解消装置は、次のようにして、高さが異なる二つの面の間の段差を解消する。
図３は段差がテラスサッシの下枠６により形成されている場合に、上記段差解消装置を用いて段差を解消している状態を示す。すなわち、スロープ材Ａの一端部をテラスデッキ７の上面に載せ、他端部を下枠６が取付けられている窓台又は室内床面８の上面に載せ、テラスデッキ７の上面のスロープ材Ａの一端部と段差を構成しているサッシ下枠６との間に台座Ｂを静置して、その台座の傾斜面４の凸条５をスロープ材Ａの下面のいずれかの溝２に嵌合して、その台座の傾斜面でスロープ材を支持する。
【００１４】
これにより、スロープ材Ａは台座Ｂによって堅固に支持され、傾斜面１は低いの面（７）と高いの面（８）を連続させる。そして、台座とスロープ材は溝２と凸条５の嵌合により長さ方向の相対的位置ずれが防止されている。従って、スロープ材Ａはその上を人が歩行しても、安定してその荷重に耐えることができる。つまり、屋内とテラスの間を段差に影響されずに容易に通行することができる。
【００１５】
図４は、上記段差解消装置を、玄関ポーチ土間９と庭又は通路１０の間の段差を解消するために使用している状態を示す。すなわち、台座Ｂを通路１０の土間９に近い位置に置き、その上にスロープ材Ａを置いて、一端部を通路１０に、他端部を土間９に載せて段差を跨いで二つの面に掛け渡し、かつ、台座Ｂによりスロープ材Ａを支持させている。
【００１６】
上記構成において、段差の高さが異なる場合は、台座Ｂをスロープ材Ａの長手方向に沿って前方又は後方に移動して、スロープ材Ａの下端部が低い面に当接する又は最も近付いた状態において、台座Ｂの凸条５をスロープ材Ａの溝２に嵌合することにより、同一の構成要素を用いて、高さの異なる段差に対応することができる。
【００１７】
スロープ材Ａがゴムチップ成形材で作られて弾性を有する場合は、図５に例示するように、下半部ＡＬを段部を挟んで高さの異なる二つの面のうち低い面に当接される底面１ｃと下半傾斜面１ｄを有するほぼ三角柱状に形成し、上半部ＡＵを前記下半傾斜面１ｄに連続する上半傾斜面１ｅを有する板状に形成すると、下半部ＡＬはより大きな強度を有して安定性が高く、上半部ＡＵは台座による段差の高さの変化に対応した高さ調整機能のほかに、図５にｎ１  ，ｎ２  で示すようにスロープ材自体に高さ調整機能を備えることができるので、高さ調整機能の幅が拡大する。
【００１８】
【発明の効果】
上述のように、本発明によれば、同一の構成部材で高さが異なる段差に対応することができ、部材管理が簡単になり、製品価格の低廉化が可能になる。
【図面の簡単な説明】
【図１】本発明による段差解消装置の構成要素を示す斜視図。
【図２】同じく側面図。
【図３】窓サッシ又はテラスサッシの下枠により構成されている段差を解消する場合の、本発明による段差解消装置の使用状態の一例を示す断面図。
【図４】玄関ポーチ土間と通路の間の段差を解消する場合の、本発明による段差解消装置の使用状態の一例を示す斜視図。
【図５】スロープ材の他の実施の形態を示す側面図。
【符号の説明】
Ａ    スロープ材
１    傾斜面
２    溝
Ｂ    台座
３    底面
４    傾斜面
５    凸条
【図１】
2004218314.tif 000003
【図２】
2004218314.tif 000004
【図３】
2004218314.tif 000005
【図４】
2004218314.tif 000006
【図５】
2004218314.tif 000007